(57)【特許請求の範囲】
【請求項１】
居住空間（Ｄｗ）を存して対向配置される第１、第２の正大梁間（Ｂｂ１，Ｂｂ２）に一体に結合される床スラブ（Ｓｆ）上に、複数の大引ビーム（５）とその上に敷設される床板（７）とよりなる床構造体（Ｆｒ）を配設してなる建築物における床支持構造において、
前記床スラブ（Ｓｆ）は、第１、第２の正大梁（Ｂｂ１，Ｂｂ２）より大引ビーム（５）の配列方向に一体に延長される肉厚の、第１、第２の床支持部（８(1) ，８(2) ）と、それらの床支持部（８(1) ，８(2) ）に一体に接続されて床支持部（８(1) ，８(2) ）よりも肉薄に形成される、水平壁部（９）とを備え、
前記第１、第２の正大梁（Ｂｂ１，Ｂｂ２）および肉厚の第１、第２の床支持部（８(1) ，８(2) ）の上面は同一平面に形成されて、前記大引ビーム（５）の両端部に共通の支持面を形成し、一方、前記肉薄の水平壁部（９）は、前記床構造体（Ｆｒ）からの荷重、衝撃が作用しないように、その上面の全域にわたり空間部とし、
前記複数の大引ビーム（５）の両端部は、前記第１、第２の正大梁（Ｂｂ１，Ｂｂ２）および前記第１、第２の床支持部（８(1) ，８(2) ）上に、大引ビーム（５）の長手方向に間隔をあけて設けられる複数の支持手段（Ｓ）を介して上下方向に位置調節可能にそれぞれフローティング支持され、
前記支持手段（Ｓ）は、第１、第２の正大梁（Ｂｂ１，Ｂｂ２）および第１、第２の床支持部（８(1) ，８(2) ）の上面に緩衝材（１２）を介して立設された一対のレベル調整ボルト（１３）と、そのレベル調整ボルト（１３）に一対のナット（１４）を介して位置調節可能に連結、支持される断面凹状の受枠（１５）とを有し、その受枠（１５）の凹部に、前記大引ビーム（５）が、防振ゴム（１６）を介して固定、支持されることを特徴とする、建築物における床支持構造。
【請求項２】
前記床スラブ（Ｓｆ）は、その上面がフラットであり、またその下面に、前記水平壁部（９）と対応する凹部（１０）が形成されることを特徴とする、前記請求項１記載の建築物における床支持構造。
【請求項３】
前記床スラブ（Ｓｆ）は、その下面がフラットであり、またその上面に、前記水平壁部（９）と対応する凹部（２２）が形成されることを特徴とする、前記請求項１記載の建築物における床支持構造。
【請求項４】
居住空間（Ｄｗ）を存して対向配置される第１、第２の正大梁間（Ｂｂ１，Ｂｂ２）に一体に結合される床スラブ（Ｓｆ）上に、複数の大引ビーム（５）とその上に敷設される床板（７）とよりなる床構造体（Ｆｒ）を配設してなる建築物における床支持構造において、
前記床スラブ（Ｓｆ）は、第１、第２の正大梁（Ｂｂ１，Ｂｂ２）より大引ビーム（５）の配列方向に一体に延長される肉厚の、第１、第２の床支持部（８(1) ，８(2) ）と、それらの床支持部（８(1) ，８(2) ）に一体に接続されて床支持部（８(1) ，８(2) ）よりも肉薄に形成される、水平壁部（９）とを備え、
前記第１、第２の正大梁（Ｂｂ１，Ｂｂ２）および肉厚の第１、第２の床支持部（８(1) ，８(2) ）の上面はフラットに形成され、
前記床スラブ（Ｓｆ）は、その下面がフラットであり、またその上面に、前記水平壁部（９）と対応する凹部（２２）が形成され、さらに第１、第２の床支持部（８(1) ，８(2) ）と水平壁部（９）との境界部にそれぞれ段部（４０）が形成され、それらの段部（４０）上に前記大引ビーム（５）の両端部がフローティング支持されることを特徴とする、建築物における床支持構造。
【発明の詳細な説明】
【技術分野】
【０００１】
本発明は、建築物における床支持構造、特に、正梁構造のコンクリート躯体をもつ建築物の床支持構造の改良に関するものである。
【背景技術】
【０００２】
一般にマンションなどの集合住宅では、床構造体が、コンクリート躯体の床スラブ上の全域にわたってそこに立設した束（支持部材）を介して支持されているため、床スラブ上の床板などに加わる振動衝撃音が固体伝播音となって床板から上下階、左右隣室へと振動騒音となって伝わり、居住空間の環境悪化、品質低下などの原因になるという問題がある。
【０００３】
そこで、従来では、遮音対策として、床スラブの厚みを増したり、床構造体自体を遮音構造にしたりするなどの対策がとられている。
【０００４】
また、後記特許文献１に開示されるように、コンクリート躯体を逆梁構造として、床スラブより上方に突出する、大梁、小梁上に床を支持するようにし、床スラブ上に床板を直接支持しないようにして、床板上に加わる振動衝撃音が床スラブに直接伝わらないようにした遮音対策が提案されているが、このようにすると、床支持構造の上下厚さが増して所望の階高が確保しにくくなるという他の問題がある。
【先行技術文献】
【特許文献】
【０００５】
【特許文献１】特開２００４−５２５０４号公報
【発明の概要】
【発明が解決しようとする課題】
【０００６】
本発明は、上記に鑑みて提案されたものであり、コンクリート躯体の、床スラブを含む水平躯体部分を改良して、所期の遮音効果を確保しつつ建物の階高を十分の確保することができ、軽量で廉価に提供できるようにした、新規な建築物における床支持構造を提供することを目的とするものである。
【課題を解決するための手段】
【０００７】
前記目的達成のため、本請求項１記載の発明は、居住空間を存して対向配置される第１、第２の正大梁間に一体に結合される床スラブ上に、複数の大引ビームとその上に敷設される床板とよりなる床構造体を配設してなる建築物における床支持構造において、
前記床スラブは、第１、第２の正大梁より大引ビームの配列方向に一体に延長される肉厚の、第１、第２の床支持部と、それらの床支持部に一体に接続されて床支持部よりも肉薄に形成される、水平壁部とを備え、
前記第１、第２の正大梁および肉厚の第１、第２の床支持部の上面は同一平面に形成されて、前記大引ビームの両端部に共通の支持面を形成し、一方、前記肉薄の水平壁部は、前記床構造体からの荷重、衝撃が作用しないように、その上面の全域にわたり空間部とし、
前記複数の大引ビームの両端部は、前記第１、第２の正大梁および前記第１、第２の床支持部上に、大引ビームの長手方向に間隔をあけて設けられる複数の支持手段を介して上下方向に位置調節可能にそれぞれフローティング支持され、
前記支持手段は、第１、第２の正大梁および第１、第２の床支持部の上面に緩衝材を介して立設された一対のレベル調整ボルトと、そのレベル調整ボルトに一対のナットを介して位置調節可能に連結、支持される断面凹状の受枠とを有し、その受枠の凹部に、前記大引ビームが、防振ゴムを介して固定、支持されることを特徴としている。
【０００８】
前記目的達成のため、本請求項２記載の発明は、前記請求項１記載のものにおいて、前記床スラブＳｆは、その上面がフラットであり、またその下面に、前記水平壁部と対応する凹部が形成されることを特徴としている。
【０００９】
前記目的達成のため、本請求項３記載の発明は、前記請求項１記載のものにおいて、前記床スラブは、その下面がフラットであり、またその上面に、前記水平壁部と対応する凹部が形成されることを特徴としている。
【００１０】
前記目的達成のため、本請求項４記載の発明は、居住空間を存して対向配置される第１、第２の正大梁間に一体に結合される床スラブ上に、複数の大引ビームとその上に敷設される床板とよりなる床構造体を配設してなる建築物における床支持構造において、
前記床スラブは、第１、第２の正大梁より大引ビームの配列方向に一体に延長される肉厚の、第１、第２の床支持部と、それらの床支持部に一体に接続されて床支持部よりも肉薄に形成される、水平壁部とを備え、
前記第１、第２の正大梁および肉厚の第１、第２の床支持部の上面はフラットに形成され、前記床スラブは、その下面がフラットであり、またその上面に、前記水平壁部と対応する凹部が形成され、さらに第１、第２の床支持部と水平壁部との境界部に段部がそれぞれ形成され、それらの段部上に前記大引ビームの両端部がフローティング支持されることを特徴としている。
【発明の効果】
【００１１】
請求項各項記載の発明によれば、複数の大引ビームは、その両端部が正大梁および床スラブの肉厚な床支持部により支持されることにより、床構造体にかかる荷重に起因する振動騒音は、複数の大引ビームを介して正大梁および床スラブの肉厚な床支持部に分散させることができ、最も大きく振動する床スラブの中央部、すなわち水平壁部に振動が伝わることが大幅に抑制され、床スラブの厚さに頼らずに遮音効果が高められる。さらに、床スラブの水平壁部には床構造体からの荷重が作用しないこと、および遮音機能をもたせないですむことから、この床スラブの水平躯体部を可及的に薄くすることが可能になり、これにより居住空間の階高を高くとることができ、さらに、コンクリート躯体の重量を低減して、耐震、制震性能を向上させることができ、さらにまた、コンクリートや鋼材の使用量の低減により、建物自体の大幅なコストダウンが達成される。
【００１２】
特に、請求項３記載の発明によれば、水平壁部の凹部を、床下収納空間として利用することができ、そこに物、配管などを収納することができる。
【００１３】
特に、請求項４記載に発明によれば、床スラブの肉厚な第１、第２床支持部上に床構造体を近接支持させることができるので、床構造体のたわみを少なくすることができる共に、その厚さを一層薄くすることができ、より高い階高を確保することができ、さらに、水平壁部の凹部を、床下収納空間として利用することができ、そこに物、配管などを収納することができる。
【図面の簡単な説明】
【００１４】
【図１】本発明床支持構造を備えた集合住宅の一部の斜視図（第１実施例）
【図２】図１の２線矢視平面図（第１実施例）
【図３】図２の３−３線に沿う拡大断面図（第１実施例）
【図４】図３の４−４線に沿う断面図（第１実施例）
【図５】床支持構造の断面図（第２実施例）
【図６】図５の６矢視拡大斜視図（第２実施例）
【図７】床支持構造の断面図（第３実施例）
【図８】床支持構造の断面図（第４実施例）
【図９】図８の９−９線に沿う拡大断面図（第４実施例）
【発明を実施するための形態】
【００１５】
以下、本発明の実施の形態を添付図面に示した本発明の実施例に基づいて説明する。
【００１６】
まず、図１〜４を参照して、本発明の第１実施例について説明する。
図１は、本発明床支持構造を備えた集合住宅の一部の斜視図、図２は、図１の２線矢視平面図、図３は、図２の３−３線に沿う拡大断面図、図４は、図３の４−４線に沿う断面図である。
【００１７】
図１〜３において、集合住宅の骨格を構成する、正梁構造のコンクリート躯体Ｆは、水平方向に延びて、建築物を複数の階層に区画する水平躯体部分Ｆｈと、鉛直方向に延びて上下の水平躯体部分Ｆｈを相互に連結する鉛直躯体部分Ｆｖとを備えている。
【００１８】
前記水平躯体部分Ｆｈは、居住空間Ｄｗを上下に仕切る床スラブＳｆを備え、この床スラブＳｆの左右両側には、第１、第２の正大梁Ｂｂ１、Ｂｂ２が下向きに一体に突設されて、所謂「正梁構造」に構成されている。また、前記鉛直躯体部分Ｆｖは、居住空間Ｄｗの四隅に立設される躯体柱１と、並列する躯体柱１間を連結する鉛直躯体壁２，３を備えている。
【００１９】
各階層の床スラブＳｆ上には、床構造体Ｆｒが配設される。この床構造体Ｆｒは、第１、第２の正大梁Ｂｂ１，Ｂｂ２と直交する方向に延びて、床スラブＳｆ上に隙間Ｄ１を存して、平行に並列される複数の大引ビーム５と、それらの上面に敷設される床板７とより構成されている。複数の大引ビーム５の両端部は、第１、第２の正大梁Ｂｂ１，Ｂｂ２およびこれに連続する床スラブＳｆの肉厚の第１、第２の床支持部８(1) ，８(2) に、後述する支持手段Ｓを介してフローティング支持される。
【００２０】
つぎに、本発明の特徴である床スラブＳｆの構造について説明する。
【００２１】
床スラブＳｆは、第１、第２の正大梁Ｂｂ１，Ｂｂ２から大引ビーム５の配列方向に一体に延びる肉厚（厚さ２７０ｍｍ）な第１、第２の床支持部８(1) ，８(2) と、それらの床支持部８(1) ，８(2) を一体に接続する肉薄（厚さ１３５ｍｍ）な水平壁部９とを備えていて、この床スラブＳｆは、大引ビーム５を支持する上面がフラットに形成されていて、第１、第２の床支持部８(1) ，８(2) は、水平壁部９に対して下向きに突出しており、それらの境界部に段差１１が形成されており、前記水平壁部９の下面に対応して凹部１０が形成される。また、水平壁部９は床スラブＳｆの大部分の容積を占めていて、床スラブＳｆ自体が軽量に形成され、そこには、床構造体Ｆｒからの荷重、衝撃が直接作用しないようにされている。
【００２２】
各大引ビーム５は、従来公知のものであり、亜鉛鋼板を屈曲形成して断面Σ状に構成されており、図４に示すように、鉛直な中間部５ｍと、その上端に傾斜面を介して接続される断面チャンネル状の上端部５ｕと、中間部５ｍの下端に傾斜面を介して接続される断面チャンネル状の下端部５ｄとより構成され、中間部５ｍには、その長手方向に間隔をあけて複数の通孔４が穿設されている。
【００２３】
複数の大引ビーム５の両端部は、床スラブＳｆの第１、第２の床支持部８(1) ，８(2) 上に複数の支持手段Ｓを介してフローティング支持されている。図３，４に示すように、床スラブＳｆの床支持部８(1) ，８(2) の上面に緩衝材１２を介して立設された一対のレベル調整ボルト１３には、上下一対のナット１４を介して断面凹状の受枠１５が位置調節可能に連結、支持されており、その受枠１５上に防振ゴム１６が固定、支持され、この防振ゴム１６上に、断面Σ状の大引ビーム５の下端部５ｄが載置支持される。そして、この載置支持状態で、各大引ビーム５は、それと床スラブＳｆとの間に鉛直方向の隙間Ｄ１を存して該床スラブＳｆに近接配置されると共に、それらの大引ビーム５の端部が、該端部と鉛直躯体部分Ｆｖとの対向面間に水平方向の隙間Ｄ２を存して配置される。前記隙間Ｄ２は、配管（例えば水道管、下水管、電線、電話線、空調用配管など）の収納スペース２６として利用できる。
【００２４】
以上により、複数の大引ビーム５は、床スラブＳｆとの間に隙間Ｄ１を、また鉛直躯体壁Ｆｖとの間に隙間Ｄ２を存して、第１、第２の正大梁Ｂｂ１，Ｂｂ２および床スラブＳｆの肉厚な第１、第２の床支持部８(1) ，８(2) により支持手段Ｓを介してフローティング支持されるので、床スラブＳｆの水平壁部９および鉛直躯体壁Ｆｖに直接接触することがなく、居住空間Ｄｗから上下階、左右隣室への振動騒音の伝播を低減することができる。
【００２５】
また、複数の大引ビーム５は、その両端部が第１、第２の正大梁Ｂｂ１，Ｂｂ２および床スラブＳｆの肉厚な第１、第２の床支持部８(1) ，８(2) により支持されることにより、床構造体Ｆｒにかかる荷重に起因する振動騒音は、複数の大引ビーム５を介して第１、第２の正大梁Ｂｂ１，Ｂｂ２および床スラブＳｆの肉厚な第１、第２の床支持部８(1) ，８(2) に分散させることができ、最も大きく振動する床スラブＳｆの中央部、すなわち水平壁部９に振動が伝わることが大幅に抑制され、床スラブＳｆの厚さに頼らずに遮音効果が高められる。さらに、床スラブＳｆの水平壁部９には床構造体Ｆｒからの荷重が作用しないこと、および遮音機能をもたせないですむことから、この床スラブＳｆの水平躯体部９を可及的に薄くすることが可能になり、これにより居住空間Ｄｗの階高を高くとることができ、さらに、コンクリート躯体Ｆの重量を低減して、耐震、制震性能を向上させることができ、さらにまた、コンクリートや鋼材の使用量の低減により、建物自体の大幅なコストダウンが達成される。
【００２６】
つぎに、本発明の第２実施例を、図５，６を参照して説明する。
【００２７】
図５は、床支持構造の断面図（第１実施例の図３対応図）、図６は、図５の６線矢視分解斜視図であり、図中、前記第１実施例と同じ要素には、同じ符号が付される。
【００２８】
この第２実施例では、居住空間Ｄｗの容積が大きく、相対向する第１、第２の正大梁Ｂｂ１、Ｂｂ２間のスパンが、前記第１実施例よりも長い。床スラブＳｆ上に載設される大引ビーム５の両端には、補足大引ビーム５Ａ，５Ａがジョイント金物２０を用いて一体に接続される。各補足大引ビーム５Ａは、前記支持手段Ｓを介して第１、第２の正大梁Ｂｂ１、Ｂｂ２および肉厚の第１、第２の床支持部８(1) ８(2) 上に支持され、またジョイント金物２０も第１、第２の床支持部８(1) ８(2) 上に支持される。図６に示すように、各補足大引ビーム５Ａおよびジョイント金物２０は、大引ビーム５と同一形状に形成され、大引ビーム５と補足大引ビーム５Ａとに跨がってジョイント金物２０を係合、接続したのち、ジョイント金物２０、大引ビーム５および補足大引ビーム５Ａにそれぞれ穿設される複数の通孔４を通して複数のボルト・ナット２１により、大引ビーム５と補足大引ビーム５４とがジョイント金物２０を介して一体に接続される。
【００２９】
しかして、この第２実施例も前記第１実施例と同じ作用効果を奏する。
【００３０】
つぎに、本発明の第３実施例を、図７を参照して説明する。
【００３１】
図７は、床支持構造の断面図（第１実施例の図３対応図）であり、図中、前記第１実施例と同じ要素には、同じ符号が付される。
【００３２】
この第３実施例は、床スラブＳｆの構造が、前記第１、２実施例と相違している。
【００３３】
すなわち、床スラブＳｆは、その下面（階下の居住空間Ｄｗの天井面）がフラットに形成され、その水平壁部９の上面は、第１、第２の床支持部８(1) ，８(2) に対して凹んでいて、その水平壁部９の上面に凹部２２が形成される。水平壁部９に対して段差２３を介して上方に突出する第１、第２の床支持部８(1) ，８(2) および第１、第２の正大梁Ｂｂ１，Ｂｂ上に、支持手段Ｓを介して複数の大引ビーム５がフローティング支持される。
【００３４】
しかして、この第３実施例では、前記第１実施例と同じ作用効果を奏する上に、水平壁部９上面の凹部２２を、床下収納空間として利用することができ、そこに物Ａなどを収納することができる。
【００３５】
つぎに、本発明の第４実施例を、図８、９を参照して説明する。
【００３６】
図８は、床支持構造の断面図（第１実施例の図３対応図）、図９は、図８の９−９線に沿う拡大断面図であり、図中、前記第１実施例と同じ要素には、同じ符号が付される。
【００３７】
この第４実施例の床スラブＳｆは、前記第３実施例と同じく水平壁部９の上面に凹部２２が形成され、その下面がフラットに形成される。床スラブＳｆの肉厚の第１、第２の床支持部８(1) ，８(2) と、肉薄の水平壁部９との境界部には、それぞれ段部４０が形成されている。それらの段部４０の上面は、第１、第２の床支持部８(1) ，８(2) の上面よりも低く、水平壁部９の上面よりも高くされている。大引ビーム５のスパンは、水平壁部９のスパンよりも若干短く形成されており、その大引ビーム５の両端部は、支持手段Ｓ″を介して前記段部４０上にフローティング支持される。すなわち、大引ビーム５の両端部には、第１、第２の床支持部８(1) ，８(2) に向かってそれぞれ延びる受枠４５がボルト・ナット３８をもって固定されている。この受枠４５の両側は、前記段部４０の上面に緩衝材４２を介して立設されたレベル調整ボルト４３は、上下一対のナット４４を介して位置調節可能に連結、支持されている。そして、大引ビーム５の下部は段部４０の上面よりも下方に位置している。
【００３８】
複数の大引ビーム５上に支持される床板７は、第１、第２の床支持部８(1) ，８(2) 上の延びており、該床支持部８(1) ，８(2) 上に、たる木４６を介して支持される。
【００３９】
しかして、この第４実施例も、前記第３実施例と同じく、床スラブＳｆの肉厚な第１、第２の床支持部８(1) ，８(2) 上に床構造体Ｆｒを近接支持させることができるので、前記第３〜５実施例と同じく床構造体のたわみを少なくすることができると共に、その厚さを一層薄くすることができ、より高い階高を確保するのに有効である。
【００４０】
以上、本発明の第１〜４実施例について説明したが、本発明はそれらの実施例に限定されることなく、本発明の範囲内で種々の実施例が可能である。
【符号の説明】
【００４１】
５・・・・・・・・大引ビーム
７・・・・・・・・床板
８(1) ・・・・・・第１の床支持部
８(2) ・・・・・・第２の床支持部
９・・・・・・・・水平壁部
１０・・・・・・・凹部
１２・・・・・・・緩衝材
１３・・・・・・・レベル調整ボルト
１４・・・・・・・ナット
１５・・・・・・・受枠
２２・・・・・・・凹部
４０・・・・・・・段部
Ｂｂ１・・・・・・第１の正大梁
Ｂｂ２・・・・・・第２の正大梁
Ｄｗ・・・・・・・居住空間
Ｆｒ・・・・・・・床構造体
Ｓｆ・・・・・・・床スラブ
【図１】
0005277335.tif 000002
【図２】
0005277335.tif 000003
【図３】
0005277335.tif 000004
【図４】
0005277335.tif 000005
【図５】
0005277335.tif 000006
【図６】
0005277335.tif 000007
【図７】
0005277335.tif 000008
【図８】
0005277335.tif 000009
【図９】
0005277335.tif 000010